(57)【要約】【課題】外部から荷重が加わった際にＦＲＰに発生する応力が緩和されて機械的強度が向上した避雷器を提供すること。【解決手段】積層された内部要素２と、内部要素２の積層方向の両側に配置された一対の電極１と、内部要素２の周囲に複数本配置され、それぞれ前記積層方向に延伸する平板状であり、軸方向の中央側から端側に向かって一定の傾斜角度でその幅が増大した後に一定の幅となるダンベル形状の出張り部３ａが設けられ、当該出張り部３ａが電極１に設けられた電極溝１ａにそれぞれ嵌め合わされて固定されたＦＲＰロッド３と、少なくとも内部要素２、電極１、および絶縁ロッド３を一体的に被覆するポリマー材料から成る外皮６とを備える避雷器を提供する。【選択図】図１
2014110255.tif 000002
【特許請求の範囲】
【請求項１】
積層された非直線抵抗素子と、
この非直線抵抗素子の積層方向の両側に配置された一対の電極と、
前記非直線抵抗素子の周囲に複数本配置され、それぞれ前記積層方向に延伸する平板状であり、軸方向の中央側から端側に向かって一定の傾斜角度でその幅が増大した後に一定の幅となるダンベル形状の両端部が設けられ、当該両端部が前記一対の電極に設けられた電極溝にそれぞれ嵌め合わされて固定された絶縁ロッドと、
少なくとも前記非直線抵抗素子、前記一対の電極、および前記複数本の絶縁ロッドを一体的に被覆するポリマー材料から成る外皮と、
を備えることを特徴とする避雷器。
【請求項２】
前記傾斜角度は、２０°以下であることを特徴とする請求項１に記載の避雷器。
【請求項３】
前記絶縁ロッドと前記電極溝との嵌め合い部分は、前記端部のみならず、当該端部から前記軸方向の中央側に一定の長さの当該絶縁ロッドの基部の部分を含むことを特徴とする請求項１または２に記載の避雷器。
【請求項４】
前記一定の長さは、３ｍｍ以上であることを特徴とする請求項３に記載の避雷器。
【請求項５】
前記電極は、前記絶縁ロッドの本数に応じた断面多角形状であり、
前記電極の各側面に前記電極溝が設けられており、
前記電極溝に嵌め込まれた前記端部が留め板で外れないように固定されていること
を特徴とする請求項１〜４のいずれか１項に記載の避雷器。
【発明の詳細な説明】
【技術分野】
【０００１】
本発明は、発電所又は変電所等において、系統に侵入した異常電圧から電気機器を保護するために用いられる避雷器に関するものである。
【背景技術】
【０００２】
酸化亜鉛素子を含む内部要素を直接シリコーンゴム等のポリマーでモールドするタイプのポリマー形避雷器は、酸化亜鉛素子の周りに配置したガラス繊維強化プラスチック（ＦＲＰ）等の絶縁支持物により機械的強度を付与されている。
【０００３】
一般的に、ガラス繊維が一方向からなるＦＲＰは、引張荷重またはガラス繊維と垂直に作用する曲げ荷重に対しては優れた機械強度を有するが、ガラス繊維と平行方向のせん断荷重に対しては、機械強度が高くない。そのため、ポリマー形避雷器の構造においては、ＦＲＰの形状、および酸化亜鉛素子の両端に配置された電極とＦＲＰとの固定方法が重要となる。
【０００４】
特許文献１に記載された従来のポリマー形避雷器では、両端部に概略二等辺三角形状または円形状の幅広部を設けたＦＲＰを、ＦＲＰの幅広部と同形状（概略二等辺三角形状または円形状）の溝を設けた電極に嵌め合わせることで、ＦＲＰと電極とを固定しており、ＦＲＰの幅広部が電極の溝に引っ掛かることで、ＦＲＰの抜け落ちが阻止されている。
【先行技術文献】
【特許文献】
【０００５】
【特許文献１】特開２００３−２９７６０９号公報
【発明の概要】
【発明が解決しようとする課題】
【０００６】
しかしながら、特許文献１に記載のポリマー形避雷器の構造では、避雷器に曲げ荷重が加わった場合は、ＦＲＰの幅広部の根元に曲げ応力が発生し、避雷器に引張荷重が加わった場合は、ＦＲＰの幅広部にせん断応力が発生する。
【０００７】
そのため、上記従来の構造において、曲げ荷重に対する機械強度を向上させるためには、ＦＲＰの厚みを一定とした場合には、ＦＲＰの幅を大きくする必要がある。また、引張荷重に対する機械強度を向上させるためには、幅広部の面積を大きくする必要がある。このように、いずれの場合も、ＦＲＰおよび電極の大形化に繋がる。また、幅広部の面積を大きくする場合、ＦＲＰの加工部分が増加するため経済的でないといった課題も存在する。
【０００８】
本発明は、上記に鑑みてなされたものであって、外部から荷重が加わった際にＦＲＰに発生する応力が緩和されて機械的強度が向上した避雷器を提供することを目的とする。
【課題を解決するための手段】
【０００９】
上述した課題を解決し、目的を達成するために、本発明に係る避雷器は、積層された非直線抵抗素子と、この非直線抵抗素子の積層方向の両側に配置された一対の電極と、前記非直線抵抗素子の周囲に複数本配置され、それぞれ前記積層方向に延伸する平板状であり、軸方向の中央側から端側に向かって一定の傾斜角度でその幅が増大した後に一定の幅となるダンベル形状の両端部が設けられ、当該両端部が前記一対の電極に設けられた電極溝にそれぞれ嵌め合わされて固定された絶縁ロッドと、少なくとも前記非直線抵抗素子、前記一対の電極、および前記複数本の絶縁ロッドを一体的に被覆するポリマー材料から成る外皮と、を備えることを特徴とする。
【発明の効果】
【００１０】
本発明によれば、外部から荷重が加わった際にＦＲＰに発生する応力が緩和されて機械的強度が向上した避雷器を提供することができる、という効果を奏する。
【図面の簡単な説明】
【００１１】
【図１】図１は、実施の形態に係る避雷器の縦断面図である。
【図２】図２は、図１のＡ−Ａにおける電極１の横断面図である。
【図３】図３は、（ａ）ＦＲＰロッド３の上面図、（ｂ）ＦＲＰロッド３の側面図である。
【図４】図４は、出張り部３ａの傾斜角度θ（°）と引張荷重が加わった際の出張り部３ａのせん断応力（p.u.）との関係を示したグラフである。
【図５】図５は、出張り部３ａからＦＲＰロッド３の軸方向中央側の嵌め合い長さｄと、曲げ荷重が加わった際の出張り部３ａの曲げ応力（p.u.）との関係を示したグラフである。
【発明を実施するための形態】
【００１２】
以下に、本発明に係る避雷器の実施の形態を図面に基づいて詳細に説明する。なお、この実施の形態によりこの発明が限定されるものではない。
【００１３】
実施の形態．
図１は、本実施の形態に係る避雷器の縦断面図である。図２は、図１のＡ−Ａにおける電極１の横断面図である。図３は、（ａ）ＦＲＰロッド３の上面図、（ｂ）ＦＲＰロッド３の側面図である。以下、図１〜図３を参照して、本実施の形態の避雷器の構成について説明する。
【００１４】
本実施の形態に係る避雷器は、例えば酸化亜鉛素子である非直線抵抗素子が複数層積層されてなる内部要素２と、内部要素２の積層方向の一端面上に配置された押圧ばね５と、内部要素２および押圧ばね５からなる直列体の両端に配置された一対の電極１と、内部要素２の周囲に複数本配置され両端部に設けられたダンベル形状の出張り部３ａがそれぞれ電極１に設けられた電極溝１ａに嵌め合わされて電極１同士を連結する複数本のＦＲＰ（ガラス繊維強化プラスチック）ロッド３と、電極溝１ａに嵌め合わされた出張り部３ａが電極溝１ａから外れないようにする留め板４と、内部要素２、押圧ばね５、電極１、ＦＲＰロッド３、および留め板４をシリコーンゴム等のポリマー材料で一体的にモールドする外皮６と、を備えている。なお、図１は、図２のＢ−Ｂにおける避雷器の矢視断面図であり、ＦＲＰロッド３のうち中央に示したものは実際には内部要素２を挟んで背後に配置されているものであるが、配置構成を明確にすることを目的として、両側の２本とともに示したものである。
【００１５】
ＦＲＰロッド３は、内部要素２の積層方向に沿って延伸する平板状の絶縁ロッドであり（図１、図２、図３（ａ））、両端部は基部３ｂよりも幅広でかつダンベル形状の出張り部３ａを成し、その延伸方向（軸方向）に対して左右対称である（図１、図３（ｂ））。すなわち、出張り部３ａは、ＦＲＰロッド３の中央側から端側に向かって略一定の傾斜角度θでその幅が増加する第１の部分とこれに続く一定の幅の第２の部分とからなるダンベル形状であり、ＦＲＰロッド３の延伸方向に対して左右対称に出張っている。なお、基部３ｂは、出張り部３ａである両端部以外の幅が一定の部分である。
【００１６】
また、傾斜角度θは、後述するように、例えば２０°以下の小さな角度とすることが望ましい。また、ＦＲＰロッド３の基部３ｂと出張り部３ａとの接続箇所（境界）、および、出張り部３ａにおける第１の部分と第２の部分との接続箇所（境界）は、加工上の容易さおよび応力緩和の観点から例えば滑らかに接続されている。ＦＲＰロッド３は、出張り部３ａを設けることで、電極１からの抜け落ちも防止される。ＦＲＰロッド３は、例えば４本配置されている（図２）。
【００１７】
電極１は、少なくとも出張り部３ａが嵌め込まれる部分については、断面が例えば四角形状（正方形状）であり、各側面にはそれぞれ電極溝１ａが設けられている。電極溝１ａは、出張り部３ａと略同形状であり、出張り部３ａが引掛けるようにして嵌め込まれている。留め板４は、電極溝１ａに嵌め合わされた出張り部３ａが電極溝１ａから外れないようにするものであり、電極１にボルト等により固定されている。なお、ＦＲＰロッド３の本数は４本に限定されず、一般に複数本とすることができる。ＦＲＰロッド３を例えば３本以上配置するときは、電極１の断面形状はその本数に応じた多角形状とすることができ、各側面に電極溝１ａを設けることができる。
【００１８】
また、ＦＲＰロッド３の電極１との嵌め合い部分は、ＦＲＰロッド３の出張り部３ａのみならず、出張り部３ａからＦＲＰロッド３の中央側に長さｄの部分も含んでいる。すなわち、嵌め合い部分には、基部３ｂの一部が含まれ、その長さは出張り部３ａから基部側に長さｄまでの部分である。換言すれば、ＦＲＰロッド３の基部３ｂと出張り部３ａとの接続箇所（境界）は、電極１の端面から長さｄだけ電極１の内側に位置する。
【００１９】
押圧ばね５は、圧縮された状態で電極１の一方と内部要素２の積層方向の一端面間に配置されている。これにより、内部要素２は押圧ばね５のばね荷重にて固定されるので、衝撃等による内部要素２の位置ずれを防止することができる。
【００２０】
外皮６は、その外周面に複数個のひだを備える。このひだは、内部要素２の積層方向に沿って例えば略等間隔で配置されている。
【００２１】
次に、本実施の形態の作用効果について説明する。本実施の形態では、ＦＲＰロッド３の両端部に９０°未満の傾斜角度θを有するダンベル形状の出張り部３ａを設け、出張り部３ａと略同形状の電極溝１ａを設けた電極１に出張り部３ａを引掛けて固定するようにしている。このような構成により、避雷器に曲げ荷重または引張荷重が加わった際の出張り部３ａに付加される応力集中を緩和し、避雷器の機械強度を向上させることができる。
【００２２】
すなわち、本実施の形態では、出張り部３ａにＦＲＰロッド３の中央側から端側に向かって略一定の傾斜角度θでその幅が増加する上記第１の部分を設けることにより、上記第２の部分のみを設ける構成に比べて（傾斜角度が直角）、避雷器に引張荷重が加わった際に、出張り部３ａに発生するせん断応力の応力集中を緩和させることができる。ここで、傾斜角度θは、例えば２０°以下の小角度が望ましい。図４は、出張り部３ａの傾斜角度θ（°）と引張荷重が加わった際の出張り部３ａのせん断応力（p.u.）との関係を示したグラフである。図４に示すように、例えば、傾斜角度θが２０°の場合は、傾斜角度θが４５°の場合に比べ、引張荷重によるせん断応力が３０％程度小さくなり、傾斜角度θが１０°の場合は、傾斜角度θが４５°の場合に比べ、引張荷重によるせん断応力が５０％程度小さくなる。そのため、本実施の形態では、傾斜角度θを例えば２０°以下とすることにより、せん断強度の向上を図ることが可能である。
【００２３】
また、本実施の形態では、ＦＲＰロッド３と電極１との嵌め合い部分は、出張り部３ａだけではなく、出張り部３ａからＦＲＰロッド３の軸方向中央側にわたる基部３ｂの部分を含むようにしている。ここで、出張り部３ａからＦＲＰロッド３の軸方向中央側にわたる基部３ｂの部分の長さをｄとしたときに、この嵌め合い長さｄは例えば３ｍｍ以上とすることが望ましい。この構造により、出張り部３ａのみの嵌め合いに比べ、避雷器に曲げ荷重が加わった際に、出張り部３ａに発生する曲げ荷重の応力集中を緩和することができる。図５は、出張り部３ａからＦＲＰロッド３の軸方向中央側の嵌め合い長さｄと、曲げ荷重が加わった際の出張り部３ａの曲げ応力（p.u.）との関係を示したグラフである。例えば、出張り部３ａからの嵌め合い長さｄを３ｍｍとした場合、嵌め合い長さｄを０ｍｍ（出張り部３ａのみの嵌め合い）の場合に比べ、曲げ応力が６０％程度小さくなる。そのため、本実施の形態では、出張り部３ａのみで嵌め合う場合のように、ＦＲＰロッド３の幅を大きくすることなく、曲げ強度の向上を図ることが可能である。
【００２４】
また、本実施の形態では、出張り部３ａをダンベル形状とすることにより、出張り部３ａの傾斜角度θを一定としたとき、出張り部３ａの形状が二等辺三角形状の場合（特許文献１の図１参照）に比べて、出張り部３ａの面積を大きくすることなく、せん断強度の向上を図ることが可能である。
【００２５】
また、本実施の形態では、ＦＲＰロッド３と電極１との嵌め合い部分に、出張り部３ａからＦＲＰロッド３の軸方向中央側にわたる基部３ｂの部分を含むようにしていることから、特許文献１の図１のように幅広部のちょうど根元を電極と内部要素との境界に配置する構成に比べて、曲げ強度の向上を図ることが可能である。
【００２６】
また、本実施の形態では、出張り部３ａをダンベル形状とすることにより、二等辺三角形状の場合（特許文献１の図１参照）に比べて、出張り部３ａの大きさおよび出張り部３ａが嵌め合わされる電極１の大きさを小さくすることができるため、コスト低減を図ることができる。さらに、出張り部３ａをダンベル形状にすることで、二等辺三角形の場合に比べて、ＦＲＰロッド３をより幅の小さい板から加工することができ、加工部分が小さくなり、経済性が向上する。
【００２７】
なお、本実施の形態では、内部要素２の周りにＦＲＰロッド３を配置したが、他の絶縁ロッドを配置する構成も可能である。
【産業上の利用可能性】
【００２８】
本発明は、ポリマー形避雷器として有用である。
【符号の説明】
【００２９】
１  電極、１ａ  電極溝、２  内部要素、３  ＦＲＰロッド、３ａ  出張り部、４  留め板、５  押圧ばね、６  外皮。
【図１】
2014110255.tif 000003
【図２】
2014110255.tif 000004
【図３】
2014110255.tif 000005
【図４】
2014110255.tif 000006
【図５】
2014110255.tif 000007